(57)【要約】  【課題】  袋への収納物の挿入深さを調整することができる技術を提案する。  【解決手段】  傘１は、傘軸１１，石突１３，握柄１５，親骨１７，傘布１９，収納袋２１などを有する。収納袋２１は、傘布１９に沿って、傘１を差したとき（傘１を開いて石突１３を上方にした状態のとき）に下側となる側の面である裏側表面に設けられている。袋本体２３には、収納物の挿入の方向への移動を抑制する近接部４１が形成されている。近接部４１は、内部空間を構成する袋本体２３の内表面における２つの異なる領域であって、収納物の挿入方向と交差する方向に間隔を空けて存在する２つの領域が近接して成る。【選択図】図１
2016168181.tif 000002
【特許請求の範囲】
【請求項１】
収納袋であって、
収納物を収納可能な内部空間を形成し、前記内部空間に前記収納物の挿入を可能とする開口が設けられた袋本体を備え、
前記内部空間を構成する前記袋本体の内表面における２つの異なる領域であって、前記収納物の挿入方向と交差する方向に間隔を空けて存在する前記２つの領域が近接して成り、前記収納物の前記挿入の方向への移動を抑制する近接部が形成されている
ことを特徴とする収納袋。
【請求項２】
収納袋であって、
収納物を収納可能な内部空間を形成し、前記内部空間に前記収納物の挿入を可能とする開口が設けられた袋本体を備え、
前記袋本体は、該袋本体を構成する壁面であって、前記収納物の挿入方向と交差する方向に前記内部空間を挟んで対向する２つの前記壁面それぞれの一部分同士が近接してなる近接部を有する
ことを特徴とする収納袋。
【請求項３】
請求項１又は請求項２に記載の収納袋であって、
傘の備える複数の親骨のうち２つの前記親骨の一方に当該収納袋を取付可能である第１取付部と、前記２つの親骨のうち前記一方とは異なる他方に当該収納袋を取付可能である第２取付部と、を有する
ことを特徴とする収納袋。
【請求項４】
請求項１から請求項３のいずれか１項に記載の収納袋であって、
前記開口を開閉可能とするファスナを有する
ことを特徴とする収納袋。
【請求項５】
請求項１から請求項４のいずれか１項に記載の収納袋を備える傘。
【請求項６】
請求項５に記載の傘であって、
当該傘の傘布が前記収納袋における前記袋本体の一部を構成する
ことを特徴とする傘。
【請求項７】
請求項５に記載の傘であって、
当該傘の傘布と、前記収納袋と、を挟み込んで固定する固定具を有する
ことを特徴とする傘。
【発明の詳細な説明】
【技術分野】
【０００１】
本発明は、収納物を収納することができる収納袋および傘に関する。
【背景技術】
【０００２】
傘を使用するときにのみ用いる物を収納したり、傘を持つことにより片手が塞がった状態で小物をすぐに使用できる状態とすることを主な目的として、傘自体に収納機能を持たせたものがある。例えば、傘の布地に収納袋が設けられ、その中に傘カバーやタオル等の収納物を入れることができる傘が提案されている（例えば特許文献１参照）。
【先行技術文献】
【特許文献】
【０００３】
【特許文献１】実開平７−３３３５号公報
【発明の概要】
【発明が解決しようとする課題】
【０００４】
収納袋の開口から収納物の挿入深さを調整することができると、様々な利点がある。例えば、収納物が開口の近くに収納されていると、取り出しの容易性が高まる。
本発明の目的は、袋への収納物の挿入深さを調整することができる技術を提案することである。
【課題を解決するための手段】
【０００５】
本発明の第１の態様は、収納袋であって、収納物を収納可能な内部空間を形成し、上記内部空間に上記収納物の挿入を可能とする開口が設けられた袋本体を備え、上記内部空間を構成する上記袋本体の内表面における２つの異なる領域であって、上記収納物の挿入方向と交差する方向に間隔を空けて存在する上記２つの領域が近接して成り、上記収納物の上記挿入の方向への移動を抑制する近接部が形成されていることを特徴とする。
【０００６】
このように構成された収納袋であれば、開口から挿入された収納物は近接部によって袋本体の奥部までの移動が抑制される。よって、収納物を挿入する位置を近接部の形成された位置と形成されていない位置とに変えることで、袋本体への収納物の挿入深さを調整することができる。
【０００７】
本発明の第２の態様は、収納袋であって、収納物を収納可能な内部空間を形成し、上記内部空間に上記収納物の挿入を可能とする開口が設けられた袋本体を備え、上記袋本体は、該袋本体を構成する壁面であって、上記収納物の挿入方向と交差する方向に上記内部空間を挟んで対向する２つの上記壁面それぞれの一部分同士が近接してなる近接部を有することを特徴とする。
【０００８】
このように構成された収納袋は、上述した第１の態様の収納袋と同様に、袋本体への収納物の挿入深さを調整することができる。
なお、上述した第１の態様及び第２の態様の収納袋は、傘に取り付けることが可能に構成されていてもよい。具体的には、傘の備える複数の親骨のうち２つの上記親骨の一方に当該収納袋を固定可能である第１固定部と、上記２つの親骨のうち上記一方とは異なる他方に当該収納袋を固定可能である第２固定部と、を有するように構成されていてもよい。このように構成された収納袋は、傘の親骨に収納袋を固定することができる。
【０００９】
また、上記収納袋は、開口を開閉可能とするファスナを有していてもよい。
本発明の第３の態様は、上記収納袋を備える傘である。このような傘は、上記収納袋を備えることにより傘に収納物を収納することができる。
【００１０】
なお上述した傘は、当該傘の傘布が上記収納袋における上記袋本体の一部を構成するものであってもよい。また上述した傘は、当該傘の傘布と、上記収納袋と、を挟み込んで固定する固定具を有するものであってもよい。
【図面の簡単な説明】
【００１１】
【図１】実施形態の傘を示す図であって、図１（Ａ）が傘を開いた状態の側面図であり、図１（Ｂ）が傘を開いた状態の底面図である。
【図２】図２（Ａ）が図１（Ｂ）のＡ−Ａ断面図であり、図２（Ｂ）が図１（Ｂ）のＢ−Ｂ断面図である。
【図３】収納袋の使用態様を説明する図である。
【図４】近接部の変形例を説明する図である。
【図５】収納袋の傘への取り付け態様の変形例を説明する図である。
【発明を実施するための形態】
【００１２】
以下に本発明の実施形態を図面と共に説明する。
［実施形態］
（１）収納袋を備える傘の構成
図１（Ａ），（Ｂ）に本実施形態の傘１を示す。傘１は、傘軸（シャフト）１１，石突１３，握柄１５，親骨１７，傘布１９，収納袋２１などを有する。なお図１（Ｂ）では握柄１５を省略している。
【００１３】
傘軸１１は金属製の円筒状の部材であって、一端に石突１３が設けられ、他端に握柄１５が設けられる。なお以下の記載においては、説明の便宜上、上記一端を傘の先端、他端を後端として記載する。
【００１４】
傘軸１１の先端側には、複数（本実施形態においては８本）の親骨１７が傘軸１１に設けられた上ロクロ１１ａを介して傘軸１１に連結されている。親骨１７は上ロクロ１１ａに設けられた図示しない回転軸に一端が連結されて、当該軸を中心として親骨１７の他端と傘軸１１との間の距離が変化するように回転変位可能となっている。
【００１５】
親骨１７は傘１の上方及び下方から見て傘軸１１を中心とした放射状となるように配置されている。また親骨１７は、図示しない支骨に連結されており、支骨は傘軸１１をスライド可能に外嵌された図示しない下ロクロに連結されている。そして、下ロクロをスライドさせると支骨の変位に応じて親骨１７が上述したように回転変位し、それにより傘１の開閉が実現する。
【００１６】
傘布１９は、傘軸１１を中心として拡がるように親骨１７に張り付けられている。より詳細には、傘布１９は親骨１７それぞれに対して親骨１７の先端を含む複数個所で固定されており、傘１を開いたときには傘布１９は親骨１７に伴って広がった状態となる。
【００１７】
収納袋２１は、傘布１９に沿って、傘１を差したとき（傘１を開いて石突１３を上方にした状態のとき）に下側となる側の面である裏側表面に設けられている。
収納袋２１は、袋本体２３と、袋本体２３における傘軸１１を中心とする円周方向の一方の端部に設けられた第１取付部２５と、上記円周方向の他方の端部に設けられた第２取付部２７と、を有する。
【００１８】
第１取付部は、傘１の備える複数の親骨のうち２つの前記親骨の一方に当該収納袋を取り付け可能である。具体的には、第１取付部２５は親骨１７が挿入可能な筒状の形状であって、親骨１７を挿入することで親骨に取り付けられる。
【００１９】
また第２取付部は、第１取付部と同様の形状であり、第１取付部が取り付けられた親骨１７の隣に配された親骨１７に取り付けられる。
袋本体２３は、対向する２つの略平面状のシートの周囲を接合することで構成され、収納物を収納可能な内部空間を形成している。また２つのシートの上端は接合されておらず、それにより、上記内部空間に収納物の挿入を可能とする開口３１が袋本体２３の上部に設けられる。
【００２０】
なお袋本体２３の形状は上述した構成に限定されず、様々な形状のものを採用することができる。例えば、内部空間を広くするためのマチが形成されていてもよいし、１枚のシートを筒状に形成し、一方を接合して閉じた形状であってもよい。
【００２１】
開口３１は、図１（Ｂ）に示すように、袋本体２３における傘軸１１から傘布１９の外縁に向かう第１の方向（図中、矢印方向）と交差する第２の方向（傘軸１１を中心とする円周の接線方向）に広がる。収納物の袋本体２３の内部空間への出し入れは、使用者が上述した第１の方向に収納物を移動させることにより実現される。
【００２２】
また収納袋２１には、該開口３１を開閉可能とするファスナ３５が設けられている。このファスナにより、開口を閉じた状態を保持でき、また再度開くことができる。
袋本体２３には、収納物の挿入の方向（第１の方向）への移動を抑制する近接部４１が形成されている。
【００２３】
図２（Ａ）に図１（Ｂ）のＡ−Ａ断面図を示す。収納袋２１は第１平面部５１及び第２平面部５２を有している。これら平面部における開口部分を除く周縁部分が接着されることにより袋状に構成され、内部空間５３が形成される。
【００２４】
第１取付部２５及び第２取付部２７は、第２平面部５２の第２方向の外縁端部を曲げて先端を接着し筒状に形成されることで成り、その内部を親骨１７が通過している。
なお第１取付部２５及び第２取付部２７は、第２平面部５２に変えて第１平面部５１の外縁端部を曲げて形成されていてもよいし、別の筒状の部材を袋本体２３に取り付けて成るものであってもよい。また、外延端部の先端は、接着せず面ファスナ等の着脱可能な部材で接合する構成としてもよく、その場合は収納袋２１の傘１への着脱を簡便に行うことができるようになる。
【００２５】
図２（Ｂ）に図１（Ｂ）のＢ−Ｂ断面図を示す。近接部４１は、第１平面部５１における第１領域５１ａと、第２平面部５２における第２領域５２ａと、が接着されることにより成る。第１領域５１ａと第２領域５２ａは、内部空間５３を構成する袋本体２３の内表面における２つの異なる領域であり、収納物の挿入方向と交差する方向に間隔を空けて存在する２つの領域である。
【００２６】
別の言い方をすると、近接部４１は、袋本体２３を構成する壁面であって、収納物の挿入方向と交差する方向に内部空間５３を挟んで対向する壁面それぞれ（第１平面部５１及び第２平面部５２）の一部分である第１領域５１ａと第２領域５２ａを近接して成るものである。本実施形態では、近接することによりその間の内部空間５３はほぼ無くなっているが、内部空間５３が残っていてもよい。
【００２７】
なお上述したファスナ３５は、図示を省略するが、第１平面部５１に形成されたレール状の雌部材と、第２平面部５２に形成されたレール状の雄部材と、開口３１に沿って移動することにより雌部材及び雄部材の連結及びその解除を実行するスライダ３５ａと、を含むものである。
【００２８】
（２）収納袋の使用態様
図３を用いて、収納袋２１の使用態様を説明する。収納物６１とは収納袋２１にて収納される対象となる物であって、例えば、傘袋、ハンカチなどの小物や、スマートフォンなどの携帯型端末などが挙げられる。
【００２９】
近接部４１によって、収納物６１の挿入の方向への移動が抑制される。そのため、近接部４１の上方に挿入された収納物６１は、内部空間５３の奥まで移動せずに保持される。よって、収納物６１を袋本体２３の開口３１付近に配置したいときや、収納物６１の一部を袋本体２３から外に出しておきたい場合などに都合がよい。後者の具体例としては、例えば携帯型端末のカメラ、アンテナ、コネクタ接続部などを袋本体２３の外部に位置させたい場合などがある。
【００３０】
もちろん、近接部４１からずらして収納物６１を収納することで、収納物６１を内部空間５３の奥まで挿入することができるようになる。
収納袋２１の材質は特に限定されないが、光の透過性を有する材質で構成してもよい。その場合、収納物６１を使用者が視認できるため、例えばスマートフォンのように表示画面を有するものを収納するときに都合がよい。また、静電式タッチパネルの操作を阻害しないポリエチレンテレフタレートなどの材質を用いてもよい。
【００３１】
（３）効果
本実施形態の傘１は、収納袋２１を備えることにより傘１に収納物６１を収納することができる。この収納袋２１は、近接部４１によって、開口３１から挿入された収納物６１の袋本体２３の奥部までの移動が抑制されるため、使用者は、挿入する位置に応じて袋本体２３への収納物６１の挿入深さを調整することができる。
【００３２】
なお、収納袋２１の内側面に内ポケットを形成した場合と比較すると、収納物６１の収納操作が簡便である。内ポケットに収納するためには、内ポケットを広げてそこに正しく収納物６１を挿入する必要があり、特に収納袋２１が傘に設けられている場合には操作が不便であるが、本実施形態では近接部４１に向けて収納物を挿入するだけでよいので都合がよい。また、内ポケットに比べ構造が単純であるため、製造コスト低減と耐久性の向上を図ることができる。
【００３３】
また、収納袋２１は第１取付部２５及び第２取付部２７を用いて、傘１の親骨１７に収納袋２１を固定することができる。
また、収納袋２１はファスナ３５によって開口を開閉することができる。なお、ファスナ３５は設けられない構成であってもよい。ファスナ３５はいわゆる線ファスナであるが、上記実施形態にて説明した以外の構造の線ファスナを採用してもよいし、面ファスナやボタンなどを用いてもよい。
【００３４】
（４）変形例
図４（Ａ）〜（Ｄ）に、近接部４１の変形例を示す。
図４（Ａ）に示す収納袋２１ａは、Ｔ字型に形成された近接部４１ａを有する例である。この形状では、内部空間５３の下部を左右に区分けして使用することができる。
【００３５】
図４（Ｂ）に示す収納袋２１ｂは、横に倒したＴ字型の近接部４１ｂを有する例であり、図４（Ｃ）に示す収納袋２１ｃはＬ字型の近接部４１ｃを有する例である。これらの近接部は上下方向（第１の方向）に延びる部分を有しているため、それにより収納物の左右方向（第２の方向）の移動を抑制することができる。
【００３６】
なお、図４（Ｃ）に示すように、開口３１を閉じる際にファスナ３５のスライダ３５ａを移動させる方向（開口があとで閉じられる側、図中右側）と近接部４１ｃの配置とを合わせることで、近接部４１ｃとファスナ３５とによって収納物６１の位置ずれを抑制しつつ収納物６１を保持することができる。
【００３７】
図４（Ｄ）に示す収納袋２１ｄは、小さな接着領域が複数集まって形成される近接部４１ｄの例である。このように、近接部の形状は特に限定されることなく様々な形状とすることができる。
【００３８】
なお上記実施形態において、近接部４１は、第１領域５１ａと第２領域５２ａとを接着することにより形成される構成を例示したが、第１領域５１ａと第２領域５２ａとが近接してなるものであれば様々な態様をとることができる。例えば、第１領域５１ａと第２領域５２ａとを挟みこむ、金属製や樹脂製のクリップやカシメ具などの挟圧部材を袋本体２３に取り付け、それにより近接部を形成してもよい。
【００３９】
ところで、近接部４１を構成する上述した２つの領域の近接の程度は特に限定されるものではないが、収納物６１の挿入方向への移動を抑制するために、開口３１の開く幅よりも小さくするとよい。収納袋２１が傘に取り付けられている場合には、その取り付けられた状態において開くことのできる開口の幅よりも近接させることが望ましい。
【００４０】
具体的な例として、第１領域５１ａと第２領域５２ａとの間隔が５ｍｍ以下となっていれば、薄い携帯型端末などが近接部４１を通過することができず都合がよい。薄い収納物の通過を抑制するためには、幅を３ｍｍ以下、望ましくは１ｍｍ以下とすることが考えられる。但し、厚みのある収納物の移動は抑制しつつ、非常に薄い（例えばシート状）収納物の通過を可能とするために、近接の幅を所定値以上（例えば３ｍｍ以上）に構成してもよい。
【００４１】
図５（Ａ）〜（Ｃ）に、第１取付部２５及び第２取付部２７の変形例を示す。
図５（Ａ）に示すように、収納袋２１ｅはカシメ金具７１（７１ａ、７１ｂ）を用いて傘布１９に固定される構成であってもよい。カシメ金具７１に変えて、リベットやクリップ等、傘布１９と収納袋２１ｅとを挟みこんで固定する様々な固定具を採用することができる。
【００４２】
また、第１取付部２５と第２取付部２７とが異なる構造で親骨１７に取り付けられる構成であってもよい。また袋本体２３を直接、傘布１９に接着等により張り付ける構成であってもよい。
【００４３】
また、図５（Ｂ）に示す収納袋２１ｆのように、傘布１９が袋本体２３の一部を構成するものであってもよい。つまり、第２平面部５２を傘布１９により構成してもよい。本図の場合、第１平面部５１における開口３１を構成する領域を除く外縁部分７３が傘布１９に接着等により固定される。
【００４４】
また、収納袋２１は、傘以外のものに取り付けられる構成であってもよい。その場合、傘以外のものに取り付けるための取付け部（紐やリングなど）を有していてもよい。
【符号の説明】
【００４５】
１…傘、１１…傘軸、１７…親骨、１９…傘布、２１…収納袋、２３…袋本体、２５…第１取付部、２７…第２取付部、３１…開口、３５…ファスナ、４１…近接部、５１…第１平面部、５１ａ…第１領域、５２…第２平面部、５２ａ…第２領域、５３…内部空間、６１…収納物
【図１】
2016168181.tif 000003
【図２】
2016168181.tif 000004
【図３】
2016168181.tif 000005
【図４】
2016168181.tif 000006
【図５】
2016168181.tif 000007